(57)【特許請求の範囲】
【請求項１】
外周面がテーパ状に形成されると共に、一端に雄ねじが形成された略円筒形の第１の固定枠と、
内周面が前記第１の固定枠の外周面と略同一角度のテーパ状に形成され、前記第１の固定枠の外周面に沿って周方向及び光軸方向に摺動可能に、かつ外周面が露出するように前記第１の固定枠の外側に設けられた操作リングと、
前記雄ねじに螺合する雌ねじが形成され、前記雄ねじと前記雌ねじとの螺合量を調整することで前記第１の固定枠に対し光軸方向の位置を変更可能に設けられた略円筒形状の押え環と、
前記押え環を覆うようにレンズ鏡胴に固定された略円筒形状の第２の固定枠であって、前記押え環の外周が露出されるような第１の開口部が形成された第２の固定枠と、
を備え、
前記操作リングの内周面と前記第１の固定枠との外周面の間には粘性流体が充填され、
前記押え環の光軸方向の位置が変更されると、前記操作リングの光軸方向の位置が変更され、前記操作リングの内周面と前記第１の固定枠の外周面との間隔が変更されることを特徴とするレンズ装置。
【請求項２】
前記第１の固定枠には、前記押え環の光軸方向の移動を規制する規制部が形成されたことを特徴とする請求項１に記載のレンズ装置。
【請求項３】
前記第１の固定枠が挿入される略円筒形の回り止め部材であって、前記操作リングと前記押え環との間に配設される回り止め部材を備え、
前記第１の固定枠には、周方向にピンが突設され、
前記回り止め部材には、前記ピンが挿入される長穴であって、前記回り止め部材を光軸方向にのみ移動可能とする長穴が形成されたことを特徴とする請求項１又は２に記載のレンズ装置。
【請求項４】
前記操作リングを前記押え環側に付勢する弾性部材を備えたことを特徴とする請求項１、２又は３に記載のレンズ装置。
【請求項５】
前記操作リングの内周面には、前記粘性流体を逃がす油だまりが形成されたことを特徴とする請求項１から４のいずれかに記載のレンズ装置。
【請求項６】
前記油だまりは、光軸方向に細長い溝状に形成されたことを特徴とする請求項５に記載のレンズ装置。
【請求項７】
前記第２の固定枠には、前記第１の開口部を覆うカバーが配設されることを特徴とする請求項１から６のいずれかに記載のレンズ装置。
【請求項８】
前記レンズ装置には、側面に把持部材が設けられたカメラ本体が装着され、
前記第１の開口部は、前記把持部材が設けられた側の側面に形成されることを特徴とする請求項１から７のいずれかに記載のレンズ装置。
【請求項９】
前記操作リングは、ズームリングであり、
前記第１の固定枠の内側にはカム筒が設けられ、
前記ズームリングと前記カム筒が連結され、
前記ズームリングが回転されると、前記カム筒が回転し、前記カム筒に連結されたズームレンズが移動されることを特徴とする請求項１から８のいずれかに記載のレンズ装置。
【請求項１０】
前記ズームリングには、前記第１の開口部を覆うことが可能な大きさの部材であって、前記ズームレンズがテレ端に位置する時に前記第１の開口部と重なるように前記第１の開口部と略同一形状の第２の開口部が形成された部材が取り付けられたことを特徴とする請求項９に記載のレンズ装置。
【発明の詳細な説明】
【技術分野】
【０００１】
本発明はレンズ装置に係り、特に手動でズーム等の調整を行うレンズ装置に関する。
【背景技術】
【０００２】
レンズ装置を持ち運び可能なＥＮＧ(Electronic News Gathering)カメラに装着したものが、テレビの取材等で使用される。ＥＮＧカメラは、三脚に固定したり、携帯したりして撮影が行われる。
【０００３】
ズーム、フォーカス、アイリスを電動で駆動するのか、手動で駆動するのかは、例えば素早いズーム駆動が必要な場合などには手動で駆動し、一定の低速度でズーム駆動を行う場合などには電動で駆動する。
【０００４】
特許文献１には、レンズ鏡胴の外周部に撮影光学系のフォーカスやズーム等を調整するための操作リングが回動可能に設けられ、操作リングを回動させることにより、光学系の調整、例えば、ピント調節、ズーミング、アイリス調節が行われるレンズ装置であって、操作リングの外周面にはその回転位置に応じた撮影光学系の状態を読み取るための目盛りが表示されるレンズ装置が記載されている。
【先行技術文献】
【特許文献】
【０００５】
【特許文献１】特開２００７−２９８６７２号公報
【発明の概要】
【発明が解決しようとする課題】
【０００６】
図９に示すように、特許文献１に記載のような従来のＥＮＧカメラ用のレンズ装置１００においては、ズームリング１０１のスラスト方向の位置を変えることによって、手動でズームリング１０１を回動させる場合の作動トルクを調整している。
【０００７】
ズームリング１０１を回転させると、図示しない連結棒で連結されたカム筒１０３が回転し、図示しないズームレンズが光軸方向に移動される。ズームリング１０１は、本体環１０２が挿入される孔が内部に形成されているが、この孔は一方が大きく他方が小さいテーパがついている。本体環１０２の外周にもズームリングの孔と略同一角度のテーパがついており、ズームリング１０１と本体環１０２との間には粘性流体であるグリスが充填される。
【０００８】
ズームリングが図９上で右方向に移動すると、ズームリング１０１と本体環１０２との間隔が広がり、ズームリング１０１が軽い力で回動可能となる。それに対し、ズームリング１０１が図９上で左方向に移動すると、ズームリング１０１と本体環１０２との間隔が狭くなり、ズームリング１０１の回動により強い力が必要となる。
【０００９】
光軸方向（スラスト方向）の位置は、ズームリング１０１の両端に挿入する調整ワッシャ１０３の枚数を変えることによって行われる。図９においては、調整ワッシャ１０３によりズームリング１０１のスラスト方向の位置を調整した後で本体環１０２に組み立てられるため、組み立て後にズームリング１０１のスラスト方向の位置を調整することはできない。
【００１０】
したがって、図９に示すようなレンズ装置においては、組み立て後にレンズ装置を入手した撮影者が、自分の好みに応じて操作リングの操作感を変えることができないという問題がある。
【００１１】
本発明はこのような事情に鑑みてなされたもので、撮影者が好みに合わせて操作リングの操作感を変えることができるレンズ装置を提供することを目的とする。
【課題を解決するための手段】
【００１２】
前記目的を達成するために、本発明の一の態様に係るレンズ装置は、外周面がテーパ状に形成されると共に、一端に雄ねじが形成された略円筒形の第１の固定枠と、内周面が前記第１の固定枠の外周面と略同一角度のテーパ状に形成され、前記第１の固定枠の外周面に沿って周方向及び光軸方向に摺動可能に、かつ外周面が露出するように前記第１の固定枠の外側に設けられた操作リングと、前記雄ねじに螺合する雌ねじが形成され、前記雄ねじと前記雌ねじとの螺合量を調整することで前記第１の固定枠に対し光軸方向の位置を変更可能に設けられた略円筒形状の押え環と、前記押え環を覆うようにレンズ鏡胴に固定された略円筒形状の第２の固定枠であって、前記押え環の外周が露出されるような第１の開口部が形成された第２の固定枠と、を備え、前記操作リングの内周面と前記第１の固定枠との外周面の間には粘性流体が充填され、前記押え環の光軸方向の位置が変更されると、前記操作リングの光軸方向の位置が変更され、前記操作リングの内周面と前記第１の固定枠の外周面との間隔が変更されることを特徴とする。
【００１３】
本発明の一の態様に係るレンズ装置によれば、外周面がテーパ状に形成された第１の固定枠の外周面に沿って周方向及び光軸方向に摺動可能に、かつ外周面が露出するように、内周面が第１の固定枠の外周面と略同一角度のテーパ状に形成された操作リングが第１の固定枠の外側に設けられ、操作リングの内周面と第１の固定枠との外周面の間には粘性流体が充填される。第２の固定枠に形成された第１の開口部から押え環の外周が露出され、前記押え環の光軸方向の位置が変更されると、操作リングの光軸方向の位置が変更され、操作リングの内周面と第１の固定枠の外周面との間隔が変更される。これにより、操作リングの回転に必要なトルクを調整することができる。
【００１４】
本発明の他の態様に係るレンズ装置において、前記第１の固定枠には、前記押え環の光軸方向の移動を規制する規制部が形成されてもよい。これにより、操作リングの内周面と第１の固定枠とが接触することを防止することができる。
【００１５】
本発明の他の態様に係るレンズ装置において、前記第１の固定枠が挿入される略円筒形の回り止め部材であって、前記操作リングと前記押え環との間に配設される回り止め部材を備え、前記第１の固定枠には、周方向にピンが突設され、前記回り止め部材には、前記ピンが挿入される長穴であって、前記回り止め部材を光軸方向にのみ移動可能とする長穴が形成されてもよい。これにより、操作リングの回転に伴って押え環が回転することを防止することができる。
【００１６】
本発明の他の態様に係るレンズ装置において、前記操作リングを前記押え環側に付勢する弾性部材を備えてもよい。これにより、操作リングを押え環側に押し付けることができる。
【００１７】
本発明の他の態様に係るレンズ装置において、前記操作リングの内周面には、前記粘性流体を逃がす油だまりが形成されてもよい。これにより、操作リングと第１の固定枠との間に粘性流体が常に充填される。
【００１８】
本発明の他の態様に係るレンズ装置において、前記油だまりは、光軸方向に細長い溝状に形成されてもよい。これにより、粘性流体を均等に逃がすことができる。
【００１９】
本発明の他の態様に係るレンズ装置において、前記第２の固定枠には、前記第１の開口部を覆うカバーが配設されてもよい。これにより、撮影者が不必要に押え環を触ることを防止することができる。
【００２０】
本発明の他の態様に係るレンズ装置において、前記レンズ装置には、側面に把持部材が設けられたカメラ本体が装着され、前記第１の開口部は、前記把持部材が設けられた側の側面に形成されてもよい。これにより、撮影者が不必要に押え環を触ることを防止することができる。
【００２１】
本発明の他の態様に係るレンズ装置において、前記操作リングは、ズームリングであり、前記第１の固定枠の内側にはカム筒が設けられ、前記ズームリングと前記カム筒が連結され、前記ズームリングが回転されると、前記カム筒が回転し、前記カム筒に連結されたズームレンズが移動されてもよい。
【００２２】
本発明の他の態様に係るレンズ装置において、前記ズームリングには、前記第１の開口部を覆うことが可能な大きさの部材であって、前記ズームレンズがテレ端に位置する時に前記第１の開口部と重なるように前記第１の開口部と略同一形状の第２の開口部が形成された部材が取り付けられてもよい。これにより、撮影者が不必要に押え環を触ることを防止することができる。
【発明の効果】
【００２３】
本発明によれば、撮影者が好みに合わせて操作リングの操作感を変えることができる。
【図面の簡単な説明】
【００２４】
【図１】本発明が適用されたＥＮＧレンズの外観を示した平面図
【図２】ＥＮＧレンズの外観を示した後面図
【図３】第１の実施の形態のレンズ鏡胴を側面から見た光軸Ｏから上半分に関する断面図であり、レンズ鏡胴の要部を拡大表示した図
【図４】レンズ鏡胴の部分平面図
【図５】第１の実施の形態の変形例のレンズ鏡胴を側面から見た光軸Ｏから上半分に関する断面図であり、レンズ鏡胴の要部を拡大表示した図
【図６】第１の実施の形態の変形例のレンズ鏡胴の正面から見た要部断面図
【図７】第２の実施の形態のレンズ鏡胴を側面から見た光軸Ｏから上半分に関する断面図であり、レンズ鏡胴の要部を拡大表示した図
【図８】図７の要部断面図
【図９】従来のレンズ鏡胴を側面から見た光軸Ｏから上半分に関する断面図であり、レンズ鏡胴の要部を拡大表示した図
【発明を実施するための形態】
【００２５】
以下、添付図面に従って本発明に係るレンズ駆動装置の好ましい実施の形態について詳説する。
【００２６】
＜第１の実施の形態＞
図１及び図２は、放送用又は業務用として取材などで携帯されるＥＮＧカメラ等のカメラ装置に後端のマウント部により着脱可能に装着されるレンズ装置であり、主として、レンズ鏡胴１と、駆動ユニット２とで構成される。
【００２７】
レンズ鏡胴１は、前方側（対物側）から入射される被写体光を集光してカメラ装置の撮像面に被写体像を結像する撮影光学系を内部に保持している。撮影光学系は、主として、フォーカスレンズ（群）、ズームレンズ（群）、絞り、リレーレンズ（群）で構成される。
【００２８】
レンズ鏡胴１には、外周部に回動可能なフォーカスリング４、ズームリング６及びアイリスリング８が設けられる。
【００２９】
フォーカスリング４を回動操作すると、フォーカスレンズが光軸に沿って前後移動してピント位置が変化する。ズームリング６を回動操作すると、ズームレンズが光軸に沿って前後移動して焦点距離が変化する。アイリスリング８を回動操作すると、絞りが開閉動作して絞り値が変化する。
【００３０】
レンズ鏡胴１の先端（図１中左側、被写体側）には、撮影光学系の焦点距離を所定倍率分広角側にシフトさせるワイドコンバータ７が取り付けられる。ワイドコンバータ７は、レンズ鏡胴１から着脱可能に構成され、ワイドコンバータ７の代わりに他の前面アクセサリを取り付け可能である。
【００３１】
レンズ鏡胴１の側部には、前記フォーカスリング４、ズームリング６及びアイリスリング８を駆動する駆動ユニット２が設けられている。駆動ユニット２はケース２０を有し、このケース２０はビス２１を介してレンズ鏡胴１の側部に取り付けられる。
【００３２】
ケース２０内には、フォーカスリング４、ズームリング６及びアイリスリング８の各々に係合したモータや各モータを制御する回路部品等が設けられている。ケース２０内には、図示しないフォーカス駆動用モータが配置され、このフォーカス駆動用モータは、図示しないギア伝達機構を介してフォーカスリング４と噛み合い、フォーカスリング４を回転駆動する。また、ケース２０内には、ズーム駆動用モータが配置され、このズーム駆動用モータは、図示しないギア伝達機構を介してズームリング６と噛み合い、ズームリング６を回転駆動する。同様に、ケース２０内には、図示しないアイリス駆動用モータが配置され、このアイリス駆動用モータは、図示しないギア伝達機構を介してアイリスリング８と噛み合い、アイリスリング８を回転駆動する。各ギア伝達機構には切替手段が備えられ、フォーカスリング４、ズームリング６及びアイリスリング８を手動で操作する場合に各モータへ動力が伝達されないようになっている。
【００３３】
ケース２０外面には、レンズ操作のための各操作部材が設けられている。ケース２０の上面には、アイリスのオート／マニュアルモード切替スイッチ２２、アイリスモーメンタリースイッチ２３、ズームシーソコントロールスイッチ２４（以下、シーソスイッチという）、リターンスイッチ２５等が設けられている。
【００３４】
シーソスイッチ２４は、中立位置を基準に揺動自在に設置され、シーソスイッチ２４をテレ（Ｔ）側又はワイド（Ｗ）側に押圧操作すると、前記ズームリング６がテレ側又はワイド側に回動するようになっている。また、シーソスイッチ２４の押し込み量（操作量）によってズームスピードを調整することができ、その押し込み量が大きいほどズームスピードは高速になる。
【００３５】
ケース２０の側面にはグリップバンド３０が設けられ、カメラマンはこのグリップバンド３０の中に右手（親指以外の４本の指）を挿入してレンズ鏡胴１を保持することができるようになっている。また、ケース２０の後面にはＶＴＲスイッチ２６及びクイックズーム＆定速オートズームスイッチ２７が配設され（図２参照）、これらのスイッチ２６、２７はカメラマンが右手の親指で操作できるようになっている。
【００３６】
図３は、レンズ鏡胴１を側面から見た光軸Ｏから上半分に関する断面図であり、レンズ鏡胴１の要部を拡大表示した図である。
【００３７】
本体環１２は、レンズ鏡胴本体の最内周の構成部材である。本体環１２の内周部には、カム筒１３が回動可能に保持されている。
【００３８】
本体環１２の内周面には光軸Ｏ方向の直進溝１２Ａが形成されるとともに、カム筒１３にはカム溝（カム形状の孔、図示せず）が形成されている。
【００３９】
カム筒１３の内周部には、カムピン１５Ａが突設された移動枠１５が回動可能に保持されている。ズームレンズ４０が取り付けられたレンズ枠３１は、押え環３２により移動枠１５に固定されている。移動枠１５はカムピン１５Ａを介して保持されている。
【００４０】
カムピン１５Ａは、カム筒１３のカム溝を挿通して、本体環１２の直進溝１２Ａに係合される。これにより、移動枠１５は、回転が規制された状態で光軸Ｏ方向に直進可能に保持されるとともに、カムピン１５Ａがカム溝に係合する位置に保持される。
【００４１】
したがって、カム筒１３が回動すると、カム筒１３のカム溝と本体環１２の直進溝１２Ａとの交差位置がカム形状に応じた位置に変化し、その交差位置へのカムピン１５Ａの移動によって移動枠１５が光軸Ｏ方向に進退移動する。
【００４２】
一方、本体環１２の外周部には、ズームリング６が回動可能に配置されている。ズームリング６は、内周面が本体環１２と粘性流体（例えば、グリス）を介して接触し、外周面は撮影者が操作可能なように露出するように形成される。
【００４３】
本体環１２の外周面は、前方側（対物側）が太く、後方側が細いテーパ状に形成されており、ズームリング６の内周面は、本体環１２の外周面と略同一角度のテーパ状に形成され、本体環１２とズームリング６とは所定の間隔（例えば、数十μｍ）で保持される。
【００４４】
ズームリング６の内周面の径方向内向きに棒状の連結軸（図示せず）が取り付けられている。この連結軸は、本体環１２に形成された周方向の長孔（図示せず）を挿通してカム筒１３に連結されている。これにより、ズームリング６を回動操作すると、それに連動してカム筒１３が回動する。カム筒１３が回動すると、上述のように移動枠１５が進退移動し、移動枠１５と連動してズームレンズ４０が光軸Ｏ方向に移動する。したがって、ズームリング６の回動操作によりズーム倍率が変更されるようになっている。
【００４５】
さらに、本体環１２の外周面の後方側の端部には、雄ねじ１２Ｂが形成されている。雄ねじ１２Ｂには、押え環１４の内周に形成された雌ねじ１４Ａが螺合されている。
【００４６】
押え環１４の外周面には、凹凸１４Ｂが形成されている。本実施の形態では、凹凸１４Ｂはローレット加工により形成される。化粧環１０は、押え環１４及びズームリング６の一部を覆うように形成された固定環であるが、化粧環１０には、押え環１４の凹凸１４Ｂが露出するように開口１０Ａが形成され、この開口１０Ａから撮影者が指を入れて凹凸１４Ｂを触り、押え環１４を回動させることができる。なお、この開口１０Ａの位置は任意であるが、グリップバンド３０と同じ側に形成することが望ましい。通常、撮影者はグリップバンド３０を把持する手と反対の手でズームリング６の操作を行うため、開口１０Ａの位置をこのように形成することで、撮影者が誤って押え環１４を回動操作することを防止することができる。
【００４７】
押え環１４が回転されると、雌ねじ１４Ａと雄ねじ１２Ｂとの螺合量が変更され、それに伴い押え環１４の光軸方向の位置（スラスト方向の位置）が変更される。押え環１４の前方側の端面はズームリング６と当接しており、押え環１４の光軸方向の位置が変わるのに伴ってズームリング６の位置が変更される。雌ねじ１４Ａと雄ねじ１２Ｂとの螺合量を増加させると、押え環１４がズームリング６を前方側へ押し、本体環１２の外周面とズームリング６の内周面との間隔が狭くなる。そのため、ズームリング６の操作に力が必要になる、すなわちズームリング６の操作に必要なトルク（マニュアル作動トルク）が大きくなる。
【００４８】
本体環１２の前方側の端部には、弾性部材、ここではバネ座金１６が配設されている。バネ座金１６は、ズームリング６を押え環１４側（ここでは後方側）へ移動させる方向の力を付勢する。雌ねじ１４Ａと雄ねじ１２Ｂとの螺合量を減少させると、バネ座金１６の付勢力によりズームリング６が後方側へ移動され、本体環１２の外周面とズームリング６の内周面との間隔が広くなる。そのため、ズームリング６の操作力が軽くなる、すなわちズームリング６の操作に必要なトルクが小さくなる。このように、レンズ鏡胴１の組み立て後にもズームリングのマニュアル操作トルクを変えることができる。なお、ズームリング６のすべりをよくするため、バネ座金１６とズームリング６との間に摩擦係数の低い材料で形成されたワッシャを入れるようにしてもよい。
【００４９】
ズームリング６と本体環１２との間の後方側の端部には、位置決め部材１７が配設される。本体環１２の外周面のテーパ状に形成された部分と雄ねじ１２Ｂとの間には、度当り１２Ｃが形成されており、位置決め部材１７がこの度当り１２Ｃと当接することにより、押え環１４の光軸方向の前方側の位置、すなわちズームリング６の光軸方向の前方側の位置が規制される。したがって、ズームリング６が必要以上に移動され、ズームリング６の内周面と本体環１２とが接触し、ズームリング６に本体環１２が締め付けられるのを防止することができる。なお、位置決め部材１７は必須でなく、押え環１４が直接度当り１２Ｃと当接することで押え環１４の光軸方向の前方側の位置を規制しても良い。
【００５０】
本実施の形態によれば、レンズ鏡胴の組み立て後にズームリングの操作に必要な力、すなわちズームリングのマニュアル作動トルクを変更することができる。したがって、撮影者が、自分の好みに合わせたズームリングのマニュアル作動トルクとすることができる。
【００５１】
なお、本実施の形態では、開口１０Ａをグリップバンド３０と同じ側の側面に形成して、撮影者が誤って押え環１４を触ることを防止したが、撮影者が誤って押え環１４を触ることを防止する方法はこれに限られない。例えば、開口１０Ａを覆うようなカバーを化粧環１０に着脱可能に配設できるようにしてもよい。また、図５に示すように、ズームリング６の後方側かつ押え環１４の外側に、開口１０Ａを覆うことができる大きさの部材６Ａであって、開口１０Ａと略同一形状の開口６ａが形成された部材６Ａを取り付け、ズームリング６’、すなわちズームレンズ４０が所定の位置にある場合、例えばズームレンズ４０がテレ端にある場合にのみ開口１０Ａと開口６ａとが重なって押え環１４を回動可能としても良い。ズームレンズ４０をテレ端にすることはあまりないため、意図せず押え環を触ることを確実に防止することができる。
【００５２】
また、本実施の形態では、ズームリング６の内周面と本体環１２との外周面とが粘性流体（例えば、グリス）を介して接触、すなわちズームリング６の内周面と本体環１２との外周面との間には粘性流体が充填されているが、ズームリング６が前方側へ移動された時に充填されていた粘性流体が周方向等に押し出されるため、その後ズームリング６が再び後方側へ移動された場合には、ズームリング６の内周面と本体環１２との外周面との間には粘性流体が充填されていない状態となってしまうおそれがある。したがって、図６に示すように、ズームリング６の内周面に油だまり６Ｂを形成し、ズームリング６が前方側へ移動された時に充填されていた粘性流体が油だまり６Ｂに逃げることができるようにするとよい。油だまり６Ｂは、光軸に沿って細長い溝状に形成してもよいし、穴状に形成してもよいし、断面形状は矩形でも円形でも良い。また、油だまり６Ｂは、１つでもよいし、複数でも良い。油だまり６Ｂを光軸に沿って細長く形成した場合には、ズームリング６が前方側へ移動された後で後方側へ移動された場合にも、光軸方向に均等に粘性流体を逃がし、かつ戻すことができるため、油だまり６Ｂを光軸に沿って細長く形成することが望ましい。
【００５３】
また、本実施の形態では、位置決め部材１７が配設され、本体環１２に形成された度当り１２Ｃに位置決め部材１７が当接することにより、押え環１４の光軸方向の前方側の位置が規制されたが、位置決め部材１７は必須ではない。本体環１２に形成された度当りのみで押え環１４の光軸方向の前方側の位置を規制してもよい。
【００５４】
＜第２の実施の形態＞
本発明に係る第１の実施の形態は、ズームリングと押え環とが当接していたが、場合によってはズームリングの回転操作により押え環が回動してしまう可能性が否定できない。
【００５５】
本発明に係る第２の実施の形態は、ズームリングの回転操作により押え環が回動してしまうことを防止するための回転止め部材を設けた形態である。以下、第２の実施の形態に係るレンズ鏡胴１−１について説明する。なお、第１の実施の形態と同一の部分については、同一の符号を付し、説明を省略する。
【００５６】
図７は、レンズ鏡胴１を側面から見た光軸Ｏから上半分に関する断面図であり、レンズ鏡胴１−１の要部を拡大表示した図である。
【００５７】
本体環１２−１の内周面には光軸Ｏ方向の直進溝１２Ａが形成され、本体環１２−１の外周面は、前方側（対物側）が太く、後方側が細いテーパ状に形成されている。本体環１２−１の外周部にはズームリング６が回動可能に配置されている。
【００５８】
さらに、本体環１２−１の外周面の後方側の端部には、雄ねじ１２Ｂ−１が形成されている。雄ねじ１２Ｂ−１には、押え環１４−１の内周に形成された雌ねじ１４Ａ−１が螺合されている。
【００５９】
押え環１４−１の外周面には、凹凸１４Ｂ−１（例えば、ローレット）が形成されている。化粧環１０−１は、押え環１４−１、回転止め部材１８（後で詳述）及びズームリング６の一部を覆うように形成された固定環であるが、化粧環１０−１には、撮影者が指を入れることが可能な開口１０Ａ−１が形成されている。撮影者は、開口１０Ａ−１を介して凹凸１４Ｂ−１を触り、押え環１４−１を回動させることができる。
【００６０】
押え環１４−１が回転されると、雌ねじ１４Ａ−１と雄ねじ１２Ｂ−１との螺合量が変更され、それに伴い押え環１４−１の光軸方向の位置が変更される。押え環１４の前方側の端面は回転止め部材１８と当接し、回転止め部材１８の反対側の端面はズームリング６と当接している。雌ねじ１４Ａ−１と雄ねじ１２Ｂ−１との螺合量を増加させると、押え環１４−１がズームリング６を前方側へ押し、本体環１２−１とズームリング６との間隔が狭くなる。そのため、ズームリング６の操作に力が必要になる、すなわちズームリング６の操作に必要なトルクが大きくなる。
【００６１】
本体環１２の前方側の端部には、バネ座金１６が配設されている。雌ねじ１４Ａ−１と雄ねじ１２Ｂ−１との螺合量を減少させると、バネ座金１６の弾性力によりズームリング６が後方側へ押し返され、本体環１２−１とズームリング６との間隔が広くなる。そのため、ズームリング６の操作力が軽くなる。
【００６２】
位置決め部材１７と押え環１４−１との間には、回転止め部材１８が配設される。回転止め部材１８は、雄ねじ１２Ｂ−１部に周方向に突設されたピン１２Ｃが貫通する孔１８Ａが形成される。図８は図７のＡ方向から見た図であるが、図８に示すように、ピン１２Ｃは孔１８Ａの内部を光軸方向に摺動可能である、すなわち回転止め部材１８は光軸方向に移動可能である。したがって、押え環１４−１の光軸方向の位置が変えることで、ズームリング６の光軸方向の位置を変えることができる。
【００６３】
それに対し、ピン１２Ｃ及び孔１８Ａにより回転方向が規制されるため、回転止め部材１８は回転することができない。これにより、ズームリング６の回転により押え環１４−１が回動することを防止することができる。
【００６４】
本実施の形態によれば、ズームリングの回転に伴って押え環が回動し、ズームリングのマニュアル作動トルクが不必要に変わってしまうことを防止することができる。
【００６５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に実施の形態では、ズームリングを例に本発明を説明しているが、本発明はフォーカスリング、アイリスリング等の各種操作リングに適用可能である。そのような変更又は改良を加えた形態も本発明の技術的範囲に含まれ得ることが、特許請求の範囲の記載から明らかである。
【符号の説明】
【００６６】
１…レンズ鏡胴、２…駆動ユニット、４…フォーカスリング、６…ズームリング、８…アイリスリング、７…ワイドコンバータ、１０…化粧環、１０Ａ…開口、１２…本体環、１２Ｂ…雄ねじ、１３…カム筒、１４…押え環、１４Ａ…雌ねじ、１４Ｂ…凹凸、１５…移動枠、１６…バネ座金、１７…位置決め部材、１８…回転止め部材、３０…グリップバンド
【図１】
0005651087.tif 000002
【図２】
0005651087.tif 000003
【図３】
0005651087.tif 000004
【図４】
0005651087.tif 000005
【図５】
0005651087.tif 000006
【図６】
0005651087.tif 000007
【図７】
0005651087.tif 000008
【図８】
0005651087.tif 000009
【図９】
0005651087.tif 000010